(57)【要約】      （修正有）【課題】携帯用電子機器の出入れが行い易く、収納した携帯用電子機器の落下を防止でき、携帯用電子機器のディスプレイを拭えるような内ポケットを設けた上着を提供する。【解決手段】上着１０の内ポケット２０が略同形状の２枚の袋布と拭い布からなり、上着の身返し１１に縦方向に延在する縦長のポケット口２１が形成されており、第１袋布は縦長のポケット口２１に縫着され、拭い布は袋布より小さな縦長形状の起毛素材からなり、第２袋布にその起毛面側が面するようにして、ポケット口となる周の一部を残してその周縁が第２袋布に縫着されており、第１袋布と第２袋布とは拭い布が両者の間に位置する状態でそれらの全周縁が互いに縫着されており、拭い布のポケット口が縦長のポケット口近傍に位置しており、身返しの縦長のポケット口にファスナーが取付けられている。拭い布と第２袋布により携帯用電子機器収納用ポケットが形成されている。【選択図】図１
0003168804.tif 000002
【実用新案登録請求の範囲】
【請求項１】
上着の内ポケットであって、該内ポケットが２つの収納室を有する二重ポケットにおいて、該内ポケットが略同形状の２枚の袋布と拭い布からなり、上着の身返しに縦方向に延在する縦長のポケット口が形成されており、前記袋布のうち身返し側の第１袋布は身返しに形成された前記縦長のポケット口に縫着されており、前記拭い布は前記袋布より小さな縦長形状の起毛素材からなり、該拭い布は前記袋布のうち他方の第２袋布にその起毛面側が面するようにして、ポケット口となる周の一部を残してその周縁が前記第２袋布に縫着されており、前記第１袋布と第２袋布とは前記拭い布が両者の間に位置する状態でそれらの全周縁が互いに縫着されており、前記拭い布のポケット口が前記縦長のポケット口近傍に位置しており、前記身返しの縦長のポケット口にファスナーが取付けられていることを特徴とする上着。
【請求項２】
前記拭い布と前記第２袋布により携帯用電子機器収納用ポケットが形成されていることを特徴とする請求項１記載の上着。
【請求項３】
前記拭い布は細長い５角形状であり、該５角形状は底辺、底辺の両端にそれぞれ接続する長い側辺と短い側辺、該長い側辺に接続する上辺および該上辺と前記短い側辺を結ぶ斜辺とからなり、前記底辺が携帯用電子機器収納用ポケットの底であり、前記斜辺と短い側辺が前記身返しの縦長のポケット口の近傍に位置しており、前記底辺、長い側辺、短い側辺および上辺の一部が前記第２袋布に縫着されており、前記斜辺および上辺の一部が携帯用電子機器収納用ポケットのポケット口となっていることを特徴とする請求項１または請求項２に記載の上着。
【請求項４】
身返しの縦長のポケット口に設けられたファスナーによりポケット口の上端に達しない位置までポケット口が閉じられることを特徴とする請求項１〜請求項３のいずれか１項に記載の上着。
【考案の詳細な説明】
【技術分野】
【０００１】
本考案は上着に関し、特に、２つの収納室を有する内ポケットを具備した上着に関するものである。
【背景技術】
【０００２】
最近では、携帯電話、スマートフォン、ＰＤＡ（携帯情報端末）、小型カメラ等の携帯用電子機器を殆どの人が持ち歩いている。携帯用電子機器を鞄やハンドバックに入れておくと、使用する際にはいちいち鞄やハンドバックから取り出さなければならず、面倒であり、特に携帯電話の場合は呼出し音が聞き取り難いという問題があり、マナーモードにしている場合は呼出しの振動に気づくことができない。
【０００３】
このような理由のためか、携帯用電子機器を上着の胸ポケットやズボンのポケットにそのまま入れている人が多い。
【０００４】
しかし、胸ポケットに入れていると、前屈みの動作をした場合に携帯用電子機器が胸ポケットから滑り落ちる危険が大きい。また、ズボンの腰ポケットはポケットとして物を収納するゆとりが余りないので、そこに携帯用電子機器を入れると、しゃがんだり腰を下ろした際に携帯用電子機器がポケットから飛び出してしまったりすることが多々ある。ズボンの脇ポケットは物を収納するゆとりは大きいが、そこには財布、ハンカチ、定期入れ等いろいろ入れておくことが多く、それらと一緒に携帯用電子機器を入れておくと、他の物をポケットから取り出す際に携帯用電子機器も一緒に引き出されて、落としてしまうことがある。携帯用電子機器は落下などの衝撃に弱く、破損してしまうことがある。
【０００５】
前屈みになったときにも落ち難いと言う理由で、上着の内ポケットに携帯用電子機器を入れることがある。しかし、上着の内ポケットは昭和５８年３月１５日特許庁発行、周知・慣用技術集（紳士服・その一）第１３８頁〜第１４５頁「内ポケット（１）〜（８）」（特許文献１）に見られるように、そのポケット口が水平方向に形成され、その収納部は垂直方向に形成されている。
【０００６】
また、実用新案登録第３０４８６４４号公報（特許文献２）には、内ポケットに携帯電話を入れた場合の膨らみを抑えるために、上着の内ポケットの内側に胸側部方向に収納部が傾斜した携帯電話収納用ポケットを設けることが提案されている。
【先行技術文献】
【特許文献】
【０００７】
【特許文献１】昭和５８年３月１５日特許庁発行、周知・慣用技術集（紳士服・その一）第１３８頁〜第１４５頁「内ポケット（１）〜（８）」
【特許文献２】実用新案登録第３０４８６４４号公報
【考案の概要】
【考案が解決しようとする課題】
【０００８】
従来の内ポケットおよび特許文献２の携帯電話収納用ポケットではポケット口も上向きであるため、携帯電話をポケットに出し入れするには、ポケット口の上の方から入れ、上の方へ抜き取ることが必要がある。しかし、これらのポケットは上着の裏側に設けられたものであるので、背広やジャケットのように胸元が開いている上着であっても、ボタンを掛けて前開きを閉じたままでは、携帯用電子機器の出し入れが非常に行い難く、いちいちボタンを外して前開きを開けなければならないと言う問題がある。
【０００９】
また、上着の内ポケットに携帯電話等を収納した場合は、胸ポケットに収納した場合よりは、前屈みの動作をした際に携帯電話が胸ポケットから滑り落ちる危険が少ないかも知れないが、やはり滑り落ちる危険性がある。
前記特許文献１のように脇ポケット内に携帯電話用ポケットを設けたものでは、手探りでの携帯電話をポケットに収納したり取出したりすることになるが、携帯電話用ポケットが垂直方向に向いており、ポケット口も上向きであるため、携帯電話の出入れが非常に行い難いという問題がある。
【００１０】
本考案はこのような従来の問題を解決し、携帯用電子機器の出入れが行い易く且つ前屈み等の動作をした際にもポケットから携帯用電子機器が落下する危険性がないような携帯用電子機器収納用ポケットを内ポケットに設けた上着を提供することを目的とする。
【００１１】
また、収納した携帯用電子機器のディスプレイ（画面）が外側にある場合には、簡単にディスプレイを拭えるようなポケットを提供することも目的とする。
【課題を解決するための手段】
【００１２】
本考案によれば、上着の内ポケットであって、該内ポケットが２つの収納室を有する二重ポケットにおいて、該内ポケットが略同形状の２枚の袋布と拭い布からなり、上着の身返しに縦方向に延在する縦長のポケット口が形成されており、前記袋布のうち身返し側の第１袋布は身返しに形成された前記縦長のポケット口に縫着されており、前記拭い布は前記袋布より小さな縦長形状の起毛素材からなり、該拭い布は前記袋布のうち他方の第２袋布にその起毛面側が面するようにして、ポケット口となる周の一部を残してその周縁が前記第２袋布に縫着されており、前記第１袋布と第２袋布とは前記拭い布が両者の間に位置する状態でそれらの全周縁が互いに縫着されており、前記拭い布のポケット口が前記縦長のポケット口近傍に位置しており、前記身返しの縦長のポケット口にファスナーが取付けられていることを特徴とする上着により前記目的を達成する。拭い布と第２袋布により携帯用電子機器収納用ポケットが形成される。
【００１３】
拭い布の形状は携帯用電子機器を収納するのに適したものであればよいが、好ましくは、拭い布は細長い５角形状である。そして、この５角形状は底辺、底辺の両端にそれぞれ接続する長い側辺と短い側辺、該長い側辺に接続する上辺および該上辺と前記短い側辺を結ぶ斜辺とからなり、前記底辺が携帯用電子機器収納用ポケットの底であり、前記斜辺と短い側辺が前記身返しの縦長のポケット口の近傍に位置しており、前記底辺、長い側辺、短い側辺および上辺の一部が前記第２袋布に縫着されており、前記斜辺および上辺の一部が携帯用電子機器収納用ポケットのポケット口となっていることが好ましい。このような状態のポケットであると、携帯用電子機器の出し入れが非常に行い易い。
【００１４】
また、身返しの縦長のポケット口に設けられたファスナーによりポケット口の上端に達しない位置までポケット口が閉じられるようにすることが好ましい。
【考案の効果】
【００１５】
本考案によれば、内ポケットのポケット口が上着の身返しに縦方向に延在する縦長のポケット口として形成されているため、携帯用電子機器の出し入れは横方向から行えるので、非常に行い易い。特に、背広やジャケットのように胸元が開いている上着の場合、胸元の開きのすぐ近くに身返しの縦長のポケット口が位置しているので、前開きのボタンを掛けたままで前開きを開けなくとも、携帯用電子機器の出し入れを行うことができる。
【００１６】
また、本考案によれば、身返しの縦長のポケット口にファスナーを設けているので、ファスナーを閉じておけば、収納した携帯用電子機器が不用意に外に飛び出したりすることがない。
【００１７】
本考案によれば、携帯用電子機器収納用ポケット内の片面が起毛素材からなる拭い布からなるので、携帯用電子機器のディスプレイ面を簡単に拭うことができる。
【００１８】
また、携帯用電子機器収納用ポケットが縦長形状であるので、携帯用電子機器を縦長に収納でき、収納した携帯用電子機器が内ポケットの中で邪魔になるような位置に移動したりせず、従って、携帯用電子機器を収納しても上着のシルエットを崩さない。
【００１９】
拭い布を細長い５角形状として、その斜辺と上辺の一部が携帯用電子機器収納用ポケットのポケット口であると、ポケット口が広く開くので、携帯用電子機器を携帯用電子機器収納用ポケットにより一層収納し易い。
【００２０】
身返しの縦長のポケット口に設けられたファスナーによりポケット口の上端に達しない位置までポケット口が閉じられるようにすると、ファスナーを閉じることにより物の落下を防止できるとともに、ポケット口の上端部からイヤホンコードを出すことができ、便利である。
【図面の簡単な説明】
【００２１】
【図１】本考案の上着の左前身頃の裏側の正面図である。
【図２】図２（ａ）〜（ｃ）はそれぞれ、本考案の内ポケットを構成する第１袋布、第２袋布および拭い布を示す正面図である。
【図３】第２袋布に拭い布を縫着した状態を示す正面図である。
【図４】拭い布を縫着した第２袋布と第１袋布とを縫着した状態を示す正面図であり、拭い布を点線で、縦長のポケット口を一点鎖線で示した。
【図５】図５（ａ）〜（ｃ）は携帯用電子機器を収納する状態を説明するための正面図であり、（ａ）は第１袋布を省略して携帯用電子機器を携帯用電子機器用ポケットに入れる際の状態を示し、（ｂ）は携帯用電子機器用ポケットに携帯用電子機器が納まった状態を示し、（ｃ）は携帯用電子機器がポケットに納まった状態で第１袋布がある状態を示している。
【考案を実施するための形態】
【００２２】
以下、図面に示した実施例に基いて本考案を詳細に説明する。図１に示した実施例は背広型衿を有する上着の左前身頃の裏側を示し、各符号は次の部分を示している。すなわち、身返し１１、テーラードカラーの衿１２、衿の折返り線１３、袖穴１４、裏地１５、ボタン穴１６、細腹１７である。
【００２３】
本考案の上着１０は図１において一点鎖線で示した内ポケット２０に特徴を有するものである。本考案においては内ポケット２０のポケット口は、従来の内ポケットのポケット口と異なって、上着１０の身返し１１に縦方向に延在する縦長のポケット口２１として形成される。
【００２４】
内ポケット２０は図２に示すような略同形状の２枚の袋布（第１袋布２３、第２袋布２４）およびこの袋布より小さな縦長形状の拭い布２５とからなる。２枚の袋布２３、２４は材質としてスレーキ（スレキ）などの裏地用生地を用いる。拭い布２５は起毛素材からなり、短い繊維が起毛している、眼鏡拭き等に使用される素材を使用すればよい。
【００２５】
第１袋布２３は身返し側に位置し、身返し１１に形成された縦長のポケット口２１に縫着されている。図２において第１袋布２３に一点鎖線でポケット口２１の位置を示した。図１に示した実施例では、ポケット口２１は両側に口布が設けられた両玉縁の形状であり、身返し１１および第１袋布２３に切込みを入れて、重ね合わせ、切込みの箇所を口布と共に縫着して形成する。
【００２６】
更に、ポケット口２１にはファスナーを取付ける（図１ではファスナーのスライダーの把手２２が図示されている）。このファスナーは下げると開き、上げると閉じるように取付ける。特に、ファスナーの上側のスライダー止りがポケット口２１の上端より１〜２ｃｍ位下方に位置するように取付けることが好ましい。このようにすると、ポケット口２１の上端はファスナーを閉じても、開いた状態であるので、そこからイヤホンコードを出すことができる。
【００２７】
拭い布２５は携帯用電子機器４０を縦長に収納でき且つ大き過ぎないような大きさおよび形状であれば特に限定されない。図２に示した実施例では、拭い布２５は細長い５角形状であり、この５角形状は底辺２５ａ、底辺の両端にそれぞれ接続する長い側辺２５ｂと短い側辺２５ｃ、長い側辺２５ｂに接続する上辺２５ｄおよび上辺２５ｄと短い側辺２５ｃを結ぶ斜辺２５ｅとからなる。
【００２８】
拭い布２５は、その起毛面側が第２袋布２４に面するようにして、周の一部を残してその周縁が第２袋布２４に縫着され、携帯用電子機器収納用ポケット３０となる。図３に示した実施例においては、底辺２５ａ、長い側辺２５ｂ、短い側辺２５ｃおよび上辺２５ｄの一部が第２袋布２４に縫着される（この縫目を符号２５ｆで示した）。底辺２５ａが携帯用電子機器収納用ポケット３０の底であり、縫われなかった斜辺２５ｅと上辺２５ｄの一部が携帯用電子機器収納用ポケット３０のポケット口となる。
【００２９】
そして、身返し１１に形成された縦長のポケット口２１に縫着され第１袋布２３と、拭い布２５を縫着した第２袋布２４とを、拭い布２５が両袋布２３、２４の間に位置する状態でそれらの全周縁を互いに縫着する。この場合、袋布２３、２４の周辺が裁ち切り状態である場合は、ほつれ止めを兼ねてオーバーロックミシンで縫着と縁縢り２３ａしておくことが好ましい。
【００３０】
このようにして形成された本考案の内ポケット２０を図４に示した。図４において、身返し１１の縦長のポケット口２１を一点鎖線で、携帯用電子機器収納用ポケット３０を点線で示した。本考案の内ポケット２０は２つの収納室を有する二重ポケットとして形成される。図４に示すように、本考案の内ポケット２０においては、携帯用電子機器収納用ポケット３０の斜辺２５ｅと短い側辺２５ｃが身返し１１の縦長のポケット口２１の近傍に位置している。そして、斜辺２５ｅおよび上辺２５ｄの一部が携帯用電子機器収納用ポケット３０のポケット口となっているので、縦長のポケット口２１のファスナーを開けると、直ぐ近くに携帯用電子機器収納用ポケット３０のポケット口があり、図５（ａ）に示すように、携帯用電子機器４０を横方向からそのまま携帯用電子機器収納用ポケット３０に入れることができ、ポケットに入れられた携帯用電子機器４０は自重により図５（ｂ）に示すように縦長方向に向いて収納される。そしてイヤホンコード４１を差したままの状態で縦長のポケット口２１のファスナーを閉じると、イヤホンコード４１は縦長のポケット口２１の上端から出た状態となり、音楽などを自由に聞くことができる。
【００３１】
前述した実施例では、縦長のポケット口２１は両玉縁として説明したが、これに限られるものではない。また、第２袋布２４に向う布を縫着してから、拭い布２５を縫着するようにしてもよい。
【００３２】
なお、上着のその他の部分の縫製については従来どおり行えばよい。
【符号の説明】
【００３３】
１０  上着
１１  身返し
２０  内ポケット
２１  縦長のポケット
２２  ファスナーのスライダーの把手
２３  第１袋布
２４  第２袋布
２５  拭い布
３０  携帯用電子機器収納用ポケット
４０  携帯用電子機器
４１  イヤホンコード
【図１】
0003168804.tif 000003
【図２】
0003168804.tif 000004
【図３】
0003168804.tif 000005
【図４】
0003168804.tif 000006
【図５】
0003168804.tif 000007